(57)【特許請求の範囲】
【請求項１】
タンク（２５）からの、固体を含有した液体である有毒性液体のサンプルを採取し、このサンプルをフラスコ（６７）中へ注入する装置であって、前記タンク（２５）へ通じる吸出しアーム（１７）と戻りアーム（１８）を含むサンプル採取回路と、前記サンプル採取回路を通して液体を循環させる装置（１０）と、吸出しアームと戻りアームの端部（８８，９３）がその下から出ている支持板（９）を含み、前記フラスコ（６７）の縁部（９０）が前記端部の周りで前記支持板の下に当てられる、有毒性液体のサンプルを採取する装置において、前記吸出しおよび戻りアームが前記支持板の下に当てられたフラスコを介する以外では連通せず、液体循環装置（１０）が戻りアームに位置し、吸出しアームが通気部（１３１，１３２）に接続されていることを特徴とする有毒性液体のサンプルを採取する装置。
【請求項２】
フラスコ（６７）を出し入れするためのアクセス部（１３，１４）を備えた密閉体（７）を含み、戻りアーム、吸出しアームおよび支持板が前記密閉体内に位置しており、前記吸出しおよび戻りアームが前記密閉体（７）の外側にある吸出しパイプ（２３）と戻りパイプ（２７）とに接続されており、前記密閉体（７）の内部には、フラスコを掴持し、取り外し、前記フラスコ（６７）に止め栓（１０８）を取り付け、フラスコの縁部（９０）を支持板の下に当てる手段が配設されており、前記通気部（１３１，１３２）が前記密閉体（７）内から出てくるパイプ（１３２）を含み、一部が密閉体の外にあり通気弁（１３１）を装着していることを特徴とする請求項１に記載の有毒性液体のサンプルを採取する装置。
【請求項３】
運動可能な装置であり、前記密閉体は車輪（２）に取り付けられていることを特徴とする請求項２に記載の有毒性液体のサンプルを採取する装置。
【請求項４】
前記循環装置（１０）がジェットポンプ（９７，９８）を含み、前記サンプル採取回路が、加圧された液体が供給され、戻りアーム（１８）で終る駆動アーム（１９）を含むことを特徴とする請求項１に記載の有毒性液体のサンプルを採取する装置。
【請求項５】
ジェットポンプ（９７，９８）と、戻りおよび吸出しアームのアーチ状パイプ（９４）が循環装置の単一で取り外し可能な要素を形成し、前記循環装置の要素と前記支持板が、相互の固定手段と、前記支持板（９）と流体循環装置（１０）の要素に固定された、吸出しアームと戻りアームの対応部分（９９〜１０４）を接続する手段を装着されていることを特徴とする請求項４に記載の有毒性液体のサンプルを採取する装置。
【請求項６】
前記循環装置の単一で取り外し可能要素が支持板（９）の上面に位置し、支持板に取り外し可能に組み付けられているクロススライド（９９）を含むことを特徴とする請求項５に記載の有毒性液体のサンプルを採取する装置。
【請求項７】
２本のパイプ（１０６，１０７）と、支持板（９）に固定し、前記パイプを一端を介して吸出しアームと戻りアームの対応部分に接続する手段（９９′）とから構成される逆吹出し組立体（１０５）を含み、前記パイプの他端は駆動アーム（１９）に接続することができることを特徴とする請求項５に記載の有毒性液体のサンプルを採取する装置。
【請求項８】
前記パイプ（１０６，１０７）が分離されており、駆動アームが可撓性部分（９６）を有することを特徴とする請求項７に記載の有毒性液体のサンプルを採取する装置。
【請求項９】
逆吹出し組立体が循環装置の単一で取外し可能要素のクロススライド（９９）と同一のクロススライド（９９′）を含むことを特徴とする請求項７に記載の有毒性液体のサンプルを採取する装置。
【請求項１０】
前記フラスコの縁部を支持板の下に当てる手段が昇降板（６６）を含むフラスコ（６７）支持体を含むことを特徴とする請求項２に記載の有毒性液体のサンプルを採取する装置。
【請求項１１】
止め栓（１０８）を外し交換する手段が、止め栓（１０８）を掴持し、廻し、フラスコから持ち上げることができる頭部（１１３）を有する機械的なねじ込み、およびねじ込み解放装置から構成されていることを特徴とする請求項１０に記載の有毒性液体のサンプルを採取する装置。
【請求項１２】
フラスコを掴持する手段が、昇降板を支持板（９）と、ねじ込みおよびねじ込み解放装置（１１）の下に位置するように前記昇降板を担持する可動支持体（６５）を含み、前記昇降板はフラスコの回転を止めるための要素（１１７）を設けられていることを特徴とする請求項１１に記載の有毒性液体のサンプルを採取する装置。
【請求項１３】
フラスコを昇降させる手段が昇降板を制御するクランク装置（７９）を含むことを特徴とする請求項１０に記載の有毒性液体のサンプルを採取する装置。
【請求項１４】
ねじ込みおよびねじ込み解放装置が、摺動回転軸心（１１０）を有する頭部（１１３）用の制御クランク（１０９）と、フラスコ（６７）から離れた位置にある、制御クランク（１０９）用支持ブラケット（１１８）とを含むことを特徴とする請求項１１に記載の有毒性液体のサンプルを採取する装置。
【請求項１５】
密閉体を通してアクセスする部分がフラスコ導入通路と、可動容器（３１）に対する接続ポートとを含むことを特徴とする請求項２に記載の有毒性液体のサンプルを採取する装置。
【発明の詳細な説明】
【０００１】
【発明の属する技術分野】
本発明は、別の理由で有毒性であり、特に固形粒子が混入され、最も粘性の少ない液体からスラリまでの何らかの濁度すなわち濃度を有しうる放射性の液体からサンプルを採取する装置に関する。
【０００２】
【従来の技術】
前記液体のサンプルを採取することはその危険性のため原子力産業においては特に制約がある。一般に、分析すべき製品は採取する前は、保護壁を通り、分析のための所定の領域まで通じている採取パイプがその中に設けられているタンクに入っている。液体を採取パイプ中へ持ち上げるエアリフトがタンクに配設されている。次に、サンプルは気密シールの、本願の出願人はピッチャーと称しているフラスコ中へ導入される。これらのピッチャーは空気輸送網を介して分析設備へ転送される。従来のサンプルを充てんする方法は、ゴム製である、フラスコの止め栓を、採取パイプの端部に位置した針で穿孔することからなり、止め栓を外さなくてよい。針を介して先に脱気しておいたフラスコ中へサンプルは吸引される。しかしながら、この方法は針が細いため、粘性で異成分から成るサンプル、あるいは大きい粒子が混入された液体に対しては適さないことは明らかである。
【０００３】
しかしながら、フランス国特許公報ＦＲ−Ａ−２  ６３３  ３９５は本発明とある程度似た装置を記載している。すなわちサンプルを充てんすべきフラスコはその止め栓を外し、支持板の下に置き、該支持板の下から、フラスコの中の気体を空にし、液体を充てんできるサンプル採取回路パイプが出ている。しかしながら、これらのパイプは、フラスコが撤去されたときでさえも連続的に作用するサンプル採取回路の単に一分岐部を形成するだけであり、そのため分岐部に入っているものと、フラスコ内に残っている液体の量と成分とを予測することは困難で、フラスコの充てんは問題となりうる。採取されたサンプルは、たとえ空気エジェクタをフラスコの下流において採取回路に配設したとしても、このエジェクタはエアリフトを始動させるために液体を少量揚げること以外は液体の循環を保証するものではないので、サンプル採取回路の入口に存在するエアリフトによって、いずれにしても歪みを受ける。
【０００４】
【発明が解決しようとする課題】
従って、本発明の主な目的は完全に異なる原理に基くサンプル採取装置を用いて、サンプルが抽出される混合物あるいは固体と液体との懸濁物を正しく表わすサンプルを採取する要件を満足させ、一方粒子の成分あるいは粒径分布の変動を阻止し、かつ成分の分解を阻止することである。この方法は、フラスコを開放することは必要ではあるが、針やエアリフトというものをサンプル採取装置の安全性や密閉性を犠牲にすることのない手段で代替することを含む。
【０００５】
【課題を解決するための手段】
本発明のこの目的は、有毒性液体のサンプルを採取する装置が、タンクに通じる吸出しアームと、該タンクへの戻りアームとを含むサンプル採取回路と、該採取回路を通して液体を循環させる装置と、その下で吸出しおよび戻りアームの端部が延在する支持板とを含み、フラスコの縁部が前記アームの端部の周りで前記支持板の下に当てられ、吸出しアームと採取アームとが支持板の下に当てられたフラスコを介すること以外には連通されず、液体循環装置が戻りアームに位置し、吸出しアームが通気部に接続されることにより達成される。本発明の方法は次に採取されたサンプルを吸出し、フラスコが後退しているときは相互に遮断されているサンプル採取回路のアームを相互に接続することにより、支持板の下面に対してフラスコが押圧されたとき、該フラスコが一時的にその一部となる採取回路に沿ってサンプルを通すことからなる。吸出しは、フラスコに入っている製品が、それが元来入っていたタンクの中味を表わすようになるのに十分な時間実行される。次にこのフラスコは後退され、再び止め栓がされる。吸出しが製品のサンプルを乱したり、著しく歪ませることはなく、パイプも最大の粒子さえ詰らせることのないようにするのに十分な断面積を有する。この断面は採取回路内でのサンプルの分離を阻止するのに十分な循環速度を得るために最適化される。吸出しが続行している間に採取回路を通気することにより採取回路を空にし、吸出された液体が何らか残っていることから次に生じるサンプルに対する危険や汚染を避けることができる。採取回路の残りの部分が空にされるとフラスコは部分的に充てんされた状態に留まる。
【０００６】
本発明の別の目的は工場従業員に何ら危険を加えることなくサンプルを採取できるようにすることである。従って、フラスコの入口や出口へのアクセス手段を備えた密閉体をサンプル採取装置に追加することが推奨されており、採取アームと吸出しアームとが前記密閉体内に位置し、採取アームと吸出しアームとが前記密閉体の外側で吸出しパイプと戻りパイプとに接続されており、前記密閉体内に、フラスコを掴持する手段と、フラスコの止め栓を外して交換する手段と、フラスコを支持板の下に当てる手段とが配設され、通気部が前記密閉体内で終り、その一部が密閉体の外側で通気弁が装着されているパイプを含む。
【０００７】
本装置は、密閉体がその上に装着されている車輪により地面を運動する車両の形態で構成し、実行したいと思う検査あるいは分析に応じて、端部が保護壁を通過している採取パイプを選別できるようにすることが有利である。循環装置はポンプでよいが、運動する機械要素を有する通常のポンプは不純物によって汚れたり、あるいは傷つくことがよくあり、また密閉体を開けたり、汚れた要素が外へ出てくるようにせざるを得ないポンプ交換を行うことは望ましくないため、本発明に対する特定の条件下で製品サンプルを吸出すためにポンプを使用することは問題となりうる。これがサンプル吸出しのためにジェットポンプを使用することが推奨される所以である。他に採取回路は、加圧された液体が供給され、サンプル採集回路の戻り枝管で終る駆動アームを含む。
【０００８】
これにより、劣悪な作動や損傷の危険性がはるかに低下する。しかしながら、スラリや、粒子による吸出しパイプや戻りパイプの詰まりを阻止する配備をなす必要がある。ジェットポンプと、排出アームや採取アームに隣接する部分が循環装置の単一の取外し可能要素を形成し、かつ本装置が、循環装置に代替し、駆動アームを、加圧された水を自在に吸出しおよび戻りアームに強制送入し、該アームを詰まりから解放するように吸出しおよび戻りアームの対応する部分に接続する詰まり解放組立体をさらに含むことが推奨されている。
【０００９】
本発明の方法は個別に、あるいは組み合わせて採用しうるその他の改良によりさらに容易に実行しうる。すなわち、フラスコの止め栓を掴持し、廻わし、かつフラスコから外されると取り出しうる、可能なら自動のねじ込み−ねじ込み解放装置と、それによりフラスコを支持板の下に押圧させるようにしうる昇降板を含むフラスコ支持体と、フラスコをねじ込み−ねじ込み解放装置へ、かつ支持板まで持ってくるアームのような可動支持体とを含む。
【００１０】
本発明をその実施例を示す添付図面を参照して以下詳細に説明する。
【００１１】
【発明の実施の態様】
図１から判るように、本発明の装置は製品の吸出しおよび戻りパイプ２３，２７（実際には直線に配置されており、その１本づつを示す）まで本装置を動きうるようにする車輪２と、脚３とを装着したフレーム１に装着された車両であり、前記脚３はねじを切ったステム５の端部において足場用ブロック４を含み、前記ステム５はフレーム１と一体のナット６において回転し、足場用ブロック４を地上に設置することにより、車輪２を持ち上げ前記車両をサンプル採取に望ましい位置で停止させることができる。
【００１２】
フレーム１は保護密閉体７を担持しており、該密閉体7 は、特にフラスコ支持体８、支持板９、循環装置１０、および後続の図において示すねじ込み／ねじ込み解放装置１１を入れられている。また、密閉体７を通過する要素、特に、フラスコ用入口流路１３、フラスコ出口開口１４、覗き窓１５、密閉体７内での作業を可能にするつまみ道具１６を通す開口、支持板９を戻りパイプ２７に接続する戻りアーム配管１８の一部、駆動アーム配管１９の一部および、希望に応じて支持板９を持ち上げるべく循環装置１０を支持する引張り装置２０と、また図示していないが制御のための電気あるいは流体を流す流路が位置している。密閉体７は放射線を吸収する外側の放射線保護壁２１と、内側の裏張り材を形成し、シールを確実にする箱状構造体２２から構成されている。
【００１３】
入口流路１３は直列に装着され、安全性を高め、希望に応じてフラスコ６７を段階的に導入できるようにするエアロックを形成した２個の弁１２５，１２６を含む。入口流路１３はフラスコを掴みうるハウジングに終っている。
【００１４】
出口開口１４は、該開口の次に、遮閉した箱３１、すなわち、採取された放射性サンプルを分析設備まで運ぶための可動で、放射線に対して保護性の密閉体を位置させることができるように設計されている。壁２１には、典型的には開口１４を閉鎖する摺動保護プレート３４を含む密閉体ポート３２が取り付けられている。同じ種類の前記箱３１用ポート３３が箱３１の開口を閉鎖する。保護プレート３４が箱用ポート３３に結合され、この組立体が、保護プレート３４の頂部に配設された持上げ用アイボルト３９を引っ張ることにより外されるとすれば、前記箱３１の内部は開口１４と連通するようにされる。
【００１５】
そのため、サンプルで一杯となったフラスコが前記箱３１中へ移されうるには、箱状構造体２２のポート４７を開ければ十分である。前記箱状構造体２２のポート４７は、前記構造体２２に装着したつまみ道具を介してハンドル４８を引っ張ることにより箱状構造体２２の内部に向かって開放する。
【００１６】
製品の吸出しおよび戻りパイプ２３，２７はサンプルを採取し、分析すべき製品で一杯のタンクで終っており、これらのタンク２５は生物学的に保護するスラブ２４の下に位置している。駆動アーム１９については、密閉体７にしっかりと固定されている弁３０によって開閉しうる供給パイプ２９を介して加圧水系２８に通じている。
【００１７】
フラスコ支持体８が図２に示されている。フラスコ支持体８は回転アーム６５と、以下本発明の出願人が習慣的に用いる用語に従ってピッチャーと称するフラスコ６７が位置している昇降板６６とを基本的に含む。昇降板６６は回転アーム６５を貫通した案内リング６９内を摺動する２個の小さい柱６８の頂部に固定されている。前記柱６８の脚は、それらが固定されているベース７０によって相互に接続され、前記ベース７０は下端がクランク７３にしっかりと固定されたねじ付きステム７２の丸味をつけた頂部７１に乗っている。ねじ付きステム７２は、箱状構造体２２に固定されたブラケット７５に固定されたねじ付きスリーブ７４と係合する。クランク７３を廻すことにより、ねじ付きステムが上昇し、その結果ベース７０を持ち上げ、丸味のついた頂部７１がベース７０と接触するようになると直ちに小さい柱６８や昇降板６６も上昇する。垂直運動の終了条件が達成されたことを確かめるために、ねじ付きベース７２にしっかりと固定されたディスク７７と協働する２個の移動センサ７６の端部がブラケット７５に固定されている。ブラケット７５に収納されたねじ付きスリーブ７４の端部に対してディスク７７とクランク７３のレバー７８とが機械的に当接する。
【００１８】
ピッチャー６７は、つまみ道具１６によりクランク７３のハンドル７９を手で動かすことにより垂直方向に移動する。
【００１９】
回転アーム６５は、箱状構造体２２にしっかりと固定された支持構造体８３の軸受け８２に保持された垂直スピンドル８１を介して運動を伝達する回転ジャッキ８０によって回転させられる。
【００２０】
ピッチャー６７は、支持板９の下に持って来られた後、該支持板９の下面に対して押圧されるようになるまでねじ付きステム７２によって持ち上げることができる。
【００２１】
吸出しアーム１７は支持板９の上面に溶接されたパイプ８７を含み、該パイプは支持板９を貫通しオリフィス８８を形成し、該オリフィス８８は、ピッチャー６７の縁部９０が装入される支持板９の分配カラー８９の下面に出て来る。戻りアーム１８については、分配カラー８９から十分離れたところで支持板９の下面に溶接された別のパイプ９１を含む。２個のオリフィス９２と９３は支持板９を通過する。循環装置１０からは下流側のオリフィス９２はパイプ９１の延長部分であり、一方、循環装置１０からは上流側のオリフィス９３はオリフィス８８より低い高さにおいて、フラスコ６７の縁部９０の内側で分配カラー８９の下面から出て来ており、そのため、さもなければその吸出しアームや戻りアームが分離してしまう液体サンプル採取回路を閉鎖する。２個のオリフィス９２と９３は、循環装置１０のアーチ状パイプ９４によって接続されており、前記アーチ状パイプ９４の中間部において、引っ張り装置２０のための掴持部として用いられる小さいプレートが溶接されている。駆動アーム１９については、循環装置１０の一部であり、そこから延在するアーチ状パイプ９４に接続された枝管９７に接続された可撓性部分９６で終る。合流部はベンチュリ９８が占め、該ベンチュリ９８は循環装置１０の基本的な部分を形成している。図１に戻れば、弁３０を開放することにより、供給源２８からの加圧された水が流れるようにし、供給パイプ２９を介して駆動アーム１９とベンチュリ９８とを通り、典型的には水をパイプ９１と、元来の供給源であるタンク２５まで戻りパイプ２７を通して循環装置１０の下流の個所まで流れるようにする。この流れはベンチュリ９８における圧力低下を伴い、この作用により、サンプル採取すべき液体は、何ら攪拌されたり、乱されることのない安定した流れでタンク２５から吸出され、吸出しアーム１７内で上昇し、パイプ８７を通ってフラスコ６７へ入り、最終的にベンチュリ９８に達し、その後駆動液と混合され、余剰分はタンク２５へ戻る。従って、循環装置１０は、全く運動することのない回転する機械要素あるいは部材を有しないジェットポンプである。弁３０が再び閉鎖すると、タンク２５からの製品はピッチャー６７に留まり、該ピッチャーはねじ込み／ねじ込み解放装置１１を用いることにより支持板から撤去され、止め栓がなされる。
【００２２】
パイプ８７は、タンク２５内の中味の吸出しを停止する効果のある、駆動水の流れを止める前に、パイプ（図１）に接続された通気パイプ１３２に配設された通気弁１３１を開放することにより通気される。通気弁１３１は密閉体７の外側で、通気パイプ１３２の頂部に装着されている。しかしながら、通気パイプ１３２の端部は、汚染された製品を外部へ排出する危険性を排除するべく密閉体７の中へ戻っている。次に、吸出しによりパイプ８７自体を空にし、フラスコ６７内の液位が（オリフィス８８の縁部より低い）オリフィス９３の縁部の下方へ低下するまで製品の転送はサイフォン作用により続く。次に駆動水は停止され、循環装置１０内では該装置が空になるまでサイフォン作用が続く。ピッチャー６７はサンプル採取された製品の満杯近い状態が続き、一方循環装置１０からの残留液体がピッチャーへ入ることによる混乱はない。
【００２３】
循環装置１０はまた該装置１０の下方で支持板９に位置したクロススライドを含む。循環装置１０の正確な設置はクロススライド９９の孔１０１を通る２個のピン１００によって保証される。アーチ状のパイプ９４の端部からはオリフィス９２と９３が延在しており、さらに支持板９から垂下したねじ付きステム１０２がクロススライド９９を貫通するタップ孔１０３の前に位置する。そのため、クランク１０４を廻せばねじ付きステムをタップ孔１０３と係合させ、かつクロススライド９９が確実にロックされ、従って吸出しアーム１７の一部と戻りアーム１８の一部との接続部のシールを提供し、循環装置１０を適所で保持する。
【００２４】
循環装置１０は、引っ張り装置２０により外された後図４に示すダミーバー１０５と交換することが可能である。前記ダミーバー１０５は断面が循環装置１０のクロススライド９９と正確に同じであるため、参照番号９９′で示し、それ以上の説明は不要と思われるクロススライドの他に、詰まり解放のための接続部分であって、ダミーバーが組み立てられるとオリフィス９２，９３への連続部分を形成する接続部分１０６，１０７を含む。駆動アーム１９の可撓性部分９６の端部を前記接続部分１０６，１０７の自由端に接続することにより、加圧された水が戻りアーム１８の上流部分へ吹き出し、タンク２５から採取された液体の流れと対向して、ピッチャー６７を介して吸出しアーム１７中へ入るようにさせうる。このため、配管系のこれらの部分に粒子が溜って詰ったとしても、この詰まりを解除することができる。さもなければ、ダミーバー１０５は使用せず、支持板９から外し、箱状構造体２２内のどこかに仕舞っておく。
【００２５】
次に、図５に完全に示すねじ込み、およびねじ込み解放装置を参照する。
【００２６】
ピッチャー６７はその縁部にねじ込まれた止め栓１０８を有する。ねじ込み／ねじ込み解放装置のための駆動要素はこれもクランク１０９であって、クランク１０９は箱状構造体２２に固定された支持構造体１１２のブッシュ１１１に担持されたスピンドル１１０を回転させる。スピンドル１１０は下端において中空のマンドレル１１３を有しており、該マンドレルは止め栓１０８の頂部でニップル１１４に嵌合している。マンドレル１１３はその内面に突起１１５を備え、該突起１１５はスリーブ１１４のスロット１１６とバヨネット式に嵌合される。ねじ込み／ねじ込み解放装置１１の下に最も新らしく持って来られたピッチャー６７の止め栓１０８を掴持するために、スピンドル１１０がブッシュ１１１内で摺動できるために可能であるが、クランク１０９のハンドルを持ち上げると、次に回転させながら落すことにより内側突起１１５がバヨネット式嵌合スロット１１６の中へ入り込むことができる。前記突起が前記スロットの端に達すると、クランク１０９を連続して運動させることにより止め栓１０８を動かせて、止め栓を緩める。この目的に対して、ピッチャーの底には直線のスロット１３０が設けられ、該スロットには、昇降板６６の壁に直径方向に作られ、ピッチャーの本体の回転を阻止するほぞ１１７が嵌合される。ねじ込みの解放が終了すると、クランク１０９が再び完全に持ち上げられ、循環装置１０の下に持って来られた後一杯にされたピッチャー６７が再び持って来られ閉鎖が必要とされるまで支持構造体１１２のブラケット１１８に位置する。前記作業はクランク１０９を逆方向に作動させることにより実行される。２個のセンサ１１９，１２０が支持構造体１１２に固定されていることが判る。第１のセンサはマンドレル１１３が完全に上昇したときに該マンドレルの存在を検出し、一方、第１のセンサより少し上方に位置した第２のセンサが小さい柱１２２によって支持されたディスク１２１の存在を検出する。前記柱１２２はマンドレル１１３のカバー１２３を貫通して摺動し、前記カバー１２３の下方を延在するリング１２４によって接続されている。マンドレル１１３によって止め栓１０８が掴持されていないときは、ディスク１２１がカバー１２３に載置され、リング１２４がカバーから垂下される。これとは逆に、止め栓１０８が内方突起１１５によって保持されると、ニップル１１４がリング１２４とディスク１２１とを持ち上げ、このためクランク１０９が再び完全に持ち上げられるとディスク１２１が第２のセンサ１２０の高さに達し、該センサによって検出でき、マンドレル１１３は第１のセンサ１１９の高さに達する。このため、より確実な作動が得られる。
【００２７】
所望のサンプルが採取されると、満杯のピッチャー６７はつまみ道具の中の１個により取り上げられ、箱３１中に置かれる。
【図面の簡単な説明】
【図１】本発明による装置の全体図。
【図２】フラスコ支持体を示す図。
【図３】支持板と循環装置とを示す図。
【図４】パイプの詰まりを解除するための接続組立体の図。
【図５】ねじ込み／ねじ込み解放装置の図。
【符号の説明】
２  車輪
７  保護密体
８  フラスコ支持体
９  支持板
１０  循環装置
１１  ねじ込み／ねじ込み解放装置
１３  フラスコ入口チャンネル
１４  フラスコ出口開口
１６  つまみ道具開口
１７  吸出しアーム
１８  戻りアーム
２２  箱状構造体
２３  吸出しパイプ
２５  タンク
２７  戻りパイプ
３１  箱
６７  フラスコ
７９  クランク装置
８８，９３  アームの端部
９０  フラスコの縁部
９４  パイプ
９７，９８  ジェットポンプ
９９，９９′  クロススライド
１０６，１０７  パイプ
１０８  止め栓
１１０  回転軸
１１３  頭部
１１８  ブラケット
１３１，１３２  通気弁
【図１】
0003939392.tif 000002
【図２】
0003939392.tif 000003
【図３】
0003939392.tif 000004
【図４】
0003939392.tif 000005
【図５】
0003939392.tif 000006